(57)【要約】【課題】使用環境の制限なしに携帯電話機を使用可能にする電子機器保護ケースを提供する。【解決手段】ケース体２は、内部に携帯電話機１１を液密に収納する収納空間５を開閉可能に区画する。ケース体２に、電子機器１１の出力信号をケース体２の外部へ出力する出力手段６８を設ける。ケース体２に、入力信号を電子機器１１へ入力する入力手段６２をこのケース体２の外部に臨んで設ける。ケース体２に、携帯電話機１１の表示部１３を外部から視認可能にする窓部４３を設ける。ケース体２に、携帯電話機１１の表示部１３を窓部４３に対向させて携帯電話機１１を収納空間５に位置決め固定する位置決め手段５１を設ける。【選択図】　図２
2004072601.tif 000002
【特許請求の範囲】
【請求項１】
内部に電子機器を収納する収納空間を開閉可能に区画するケース体と、
このケース体に設けられ前記電子機器の出力信号を前記ケース体の外部へ出力する出力手段と、
前記ケース体にこのケース体の外部に臨んで設けられ前記電子機器に入力信号を入力する入力手段と、
を具備したことを特徴とした電子機器保護ケース。
【請求項２】
請求項１に記載の電子機器保護ケースであって、
前記ケース体は、情報を表示する表示部を備えた電子機器を前記収納空間に収納した際に、少なくとも一部が前記収納空間に収納された前記電子機器の前記表示部を前記ケース体の外部から視認可能に形成された
ことを特徴とした電子機器保護ケース。
【請求項３】
請求項１または２に記載の電子機器保護ケースであって、
前記ケース体は、少なくとも前記収納空間に収納された前記電子機器の前記表示部に対向する位置に前記ケース体の外部から前記表示部を視認可能とする透明部を備えた
ことを特徴とした電子機器保護ケース。
【請求項４】
請求項１ないし３のいずれかに記載の電子機器保護ケースであって、
前記ケース体は、前記電子機器を前記収納空間内に位置決め固定する位置決め手段を備えた
ことを特徴とした電子機器保護ケース。
【請求項５】
請求項１ないし３のいずれかに記載の電子機器保護ケースであって、
前記ケース体は、少なくとも前記収納空間に収納された前記電子機器の情報を表示する表示部に対向する位置に前記ケース体の外部から前記表示部を視認可能とする透明部と、
前記電子機器を前記収納空間内に前記表示部が前記透明部に対向する位置に位置決め固定する位置決め手段と、を備えた
ことを特徴とした電子機器保護ケース。
【請求項６】
請求項１ないし５のいずれかに記載の電子機器保護ケースであって、
前記ケース体は、少なくとも前記収納空間に収納された前記電子機器の情報を表示する表示部に対向する位置に前記ケース体の外部から前記表示部を視認可能とする透明部と、
前記電子機器の前記表示部が前記透明部に対向した状態で前記表示部の背面側を付勢する付勢手段と、を備えた
ことを特徴とした電子機器保護ケース。
【請求項７】
請求項１ないし６のいずれかに記載の電子機器保護ケースであって、
前記ケース体は、前記収容空間に連通し前記電子機器を出入れ可能な開口部を有するケース本体と、
前記開口部を開閉可能に閉塞し前記収容空間を前記ケース本体とにて区画する蓋体と、
前記収容空間を液密に封止する封止手段と、を備えた
ことを特徴とした電子機器保護ケース。
【請求項８】
請求項７に記載の電子機器保護ケースであって、
前記封止手段は、前記ケース本体および前記蓋体の少なくともいずれか一方に設けられ前記蓋体にて前記開口部が閉塞された際に前記開口部の周囲を囲む状態で前記ケース本体および前記蓋体に挟持されて弾性変形する弾性部材と、
前記ケース本体および前記蓋体の少なくともいずれか一方に設けられた係合手段と、
前記ケース本体および前記蓋体の少なくともいずれか他方に設けられ前記係合手段を係脱可能に係止し前記蓋体にて前記開口部が閉塞された状態を維持する係止手段と、を備えた
ことを特徴とした電子機器保護ケース。
【請求項９】
請求項７または８に記載の電子機器保護ケースであって、
前記ケース体は、このケース体を載置する載置面に対向する面に設けられ前記蓋体が前記ケース本体に対して回動にて前記開口部を開閉する状態に前記ケース本体および前記蓋体を連結する連結手段と、
このケース体を載置する載置面に対向する面から前記連結手段の前記載置面に近接する位置までの距離以上の長さで突設された脚と、を備えた
ことを特徴とした電子機器保護ケース。
【請求項１０】
請求項１ないし９のいずれかに記載の電子機器保護ケースであって、
前記出力信号および入力信号を制御する制御装置と、前記電子機器および前記制御装置のうちの少なくともいずれか一方に電力を供給する電源部と、のうちの少なくともいずれか一方を具備した
ことを特徴とした電子機器保護ケース。
【請求項１１】
請求項１０に記載の電子機器保護ケースであって、
前記ケース体は、前記制御装置および前記電源部のうちの少なくともいずれか一方を収容する制御空間を前記電子機器から隔離して区画する区画部材を備えた
ことを特徴とした電子機器保護ケース。
【請求項１２】
請求項１ないし９のいずれかに記載の電子機器保護ケースであって、
前記出力信号および入力信号を制御する制御装置と、
前記電子機器および前記制御装置の少なくともいずれか一方に電力を供給し、
かつ、電池を出し入れ可能に収容する電源部と、を具備し、
前記ケース体は、前記電池を前記電源部に出し入れ可能に前記制御装置および前記電源部の少なくともいずれか一方を収容する制御空間を前記収容空間から隔離して区画する制御空間保護部材を備えた
ことを特徴とした電子機器保護ケース。
【請求項１３】
請求項１２に記載の電子機器保護ケースであって、
前記制御空間保護部材は、前記制御空間を液密に区画する
ことを特徴とした電子機器保護ケース。
【請求項１４】
請求項１ないし１３のいずれかに記載の電子機器保護ケースであって、
前記ケース体は、前記ケース体が載置面に載置された状態で重心よりも上方に位置し側方に向けて開口された凹状の取手手段を備えた
ことを特徴とした電子機器保護ケース。
【請求項１５】
請求項１４に記載の電子機器保護ケースであって、
前記取手手段は、前記収納空間に収納された前記電子機器の背面に位置して設けられ、前記取手手段の開口方向と反対側の前記蓋体の内側に膨出する先端位置に前記電子機器の背面を付勢する付勢手段が設けられた
ことを特徴とした電子機器保護ケース。
【請求項１６】
請求項１ないし１５のいずれかに記載の電子機器保護ケースであって、
前記ケース体は、音響装置を収納する音響空間を備えた
ことを特徴とした電子機器保護ケース。
【請求項１７】
請求項１６に記載の電子機器保護ケースであって、
前記電子機器が動作している場合には前記音響装置の出力信号を前記電子機器の前記出力信号に影響しないように制御する制御手段を具備した
ことを特徴とした電子機器保護ケース。
【請求項１８】
請求項１６または１７に記載の電子機器保護ケースであって、
前記出力手段は、前記電子機器の出力信号と前記音響装置の出力信号とを外部に出力する
ことを特徴とした電子機器保護ケース。
【請求項１９】
請求項１６ないし１８に記載の電子機器保護ケースであって、
前記音響装置に着脱可能に電気的に接続される端子を先端部に有したケーブルを備え出力信号および入力信号を制御する前記制御装置と、前記電子機器および前記制御装置のうちの少なくともいずれか一方に電力を供給する電池を出し入れ可能に収容する電源部と、のうちの少なくともいずれか一方を具備し、
前記ケース体は、前記電池を前記電源部に出し入れ可能に前記制御装置および前記電源部のうちの少なくともいずれか一方を収容する制御空間を前記収容空間から隔離して区画する制御空間保護部材と、
前記ケース本体および前記蓋体を連結する連結手段と、を備え、
前記制御空間保護部材は、前記ケーブルを前記制御空間から引き出すケーブル引出口が前記連結手段付近に設けられた
ことを特徴とした電子機器保護ケース。
【請求項２０】
請求項１ないし１９のいずれかに記載の電子機器保護ケースであって、
前記出力手段は、前記ケース体の重心の位置より前記ケース体を載置する載置面に対向する面側に配置された
ことを特徴とした電子機器保護ケース。
【請求項２１】
請求項１ないし２０のいずれかに記載の電子機器保護ケースであって、
前記ケース体は、入力操作により動作内容を設定する操作部を備えた電子機器を前記収納空間に収納した際に、前記電子機器の操作部がこのケース体の外部から入力操作可能に形成された
ことを特徴とした電子機器保護ケース。
【請求項２２】
請求項２１に記載の電子機器保護ケースであって、
前記ケース体は、少なくとも前記収納空間に収納された前記電子機器の前記操作部に対向する位置に、前記ケース体の外部からの前記操作部の入力操作を可能とする軟質部材を備えた
ことを特徴とした電子機器保護ケース。
【請求項２３】
請求項１ないし２０のいずれかに記載の電子機器保護ケースであって、
前記ケース体は、外部へ臨んで操作可能に設けられた外部操作手段と、
前記外部操作手段の操作を前記収納空間に収納され入力操作により動作内容を設定入力される電子機器に前記動作内容を設定入力する入力操作として伝達する操作伝達手段と
を具備したことを特徴とした電子機器保護ケース。
【請求項２４】
請求項１ないし２３に記載の電子機器保護ケースであって、
前記ケース体は、前記出力信号および前記入力信号を出入力する端子取付口を有する電子機器が前記収納空間に収納された際に、前記端子取付口に対向する位置に前記端子取付口に着脱可能に接続する端子が配置された
ことを特徴とした電子機器保護ケース。
【請求項２５】
請求項１ないし２４のいずれかに記載の電子機器保護ケースであって、
前記電子機器は、長細形状であり、
前記出力信号および入力信号を制御する細長形状の制御装置を具備し、
前記ケース体は、前記電子機器および前記制御装置を長手方向が互いに略平行となる状態で配置する
ことを特徴とした電子機器保護ケース。
【請求項２６】
請求項２５に記載の電子機器保護ケースであって、
前記電子機器および前記制御装置のうちの少なくともいずれか一方に電力を供給する細長形状の電源部を具備し、
前記ケース体は、前記電源部、前記制御装置および前記電子機器を長手方向が互いに略平行で、かつ、前記電源部および前記制御装置間に前記電子機器が位置する状態で配置する
ことを特徴とした電子機器保護ケース。
【請求項２７】
請求項２６に記載の電子機器保護ケースであって、
前記電源部は、長手方向を有する電池の前記長手方向を前記電子機器および前記制御装置の長手方向に略平行に収納する
ことを特徴とした電子機器保護ケース。
【請求項２８】
出力信号および入力信号を出入力する端子取付口を有する電子機器を収納する収納空間を開閉可能に区画し、前記収容空間内の長手方向一端に前記端子取付口に着脱可能に接続する端子が配置された
ことを特徴とした電子機器保護ケース。
【発明の詳細な説明】
【０００１】
【発明の属する技術分野】
本発明は、電子機器を収納する電子機器保護ケースに関する。
【０００２】
【従来の技術】
従来、電子機器として、例えば音声情報を入出力できる携帯電話機が広く利用されている。この携帯電話機にあっては、使用場所を制限されることなく使用できることが望ましい。しかしながら、電子部品に損傷を与えるような環境、例えば、ゴミや砂といった電子部品の動作に影響を及ぼす粉塵が多量に存在する環境や、海や風呂といった水の影響がある環境では、使用が制限される。
【０００３】
一方、携帯電話機として、多少の雨や水しぶきであれば利用可能な生活防水を備えた構成も知られている。
【０００４】
【発明が解決しようとする課題】
しかしながら、生活防水機能を備えた携帯電話機でも、海や風呂といった多量の水、塩分や油などが存在する過酷な環境では、使用が制限されるという問題が一例として挙げられる。また、携帯電話機のすべてに防水加工を施すことも考えられるが、コストが増大する問題が一例として挙げられる。
【０００５】
一方、ＭＤプレーヤやＣＤプレーヤなどの音響装置を、海や風呂などの環境下でも利用可能とする音響装置防水ケースが知られている。この音響装置防水ケースは、音響装置を液密に収納する収納空間を開閉可能に区画するケース体と、このケース体に設けられ音響装置の音情報を出力するスピーカとを具備している。
【０００６】
しかしながら、このような音響装置防水ケースでは、音響装置の音情報を出力するのみで、各種の動作をする電子機器では対応できない問題が一例として挙げられる。
【０００７】
本発明の目的は、このような問題点に鑑みてなされたもので、各種電子機器を使用環境に制限されることなく使用可能な電子機器保護ケースを提供することにある。
【０００８】
【課題を解決するための手段】
請求項１に記載の発明は、内部に電子機器を収納する収納空間を開閉可能に区画するケース体と、このケース体に設けられ前記電子機器の出力信号を前記ケース体の外部へ出力する出力手段と、前記ケース体にこのケース体の外部に臨んで設けられ前記電子機器に入力信号を入力する入力手段とを具備したことを特徴とする電子機器保護ケースである。
【０００９】
請求項２８に記載の発明は、出力信号および入力信号を出入力する端子取付口を有する電子機器を収納する収納空間を開閉可能に区画し、前記収容空間内の長手方向一端に前記端子取付口に着脱可能に接続する端子が配置されたことを特徴とした電子機器保護ケースである。
【００１０】
【発明の実施の形態】
以下、本発明の実施形態を図面に基づいて説明する。
【００１１】
（第１実施形態）
図１ないし図９に本発明の電子機器保護ケースの第１実施形態を示す。図１は、電子機器保護ケースのケース体を閉じた状態で載置面に載置した状態の外観図である。図２は、この電子機器保護ケースの正面図である。図３は、電子機器保護ケースの背面図である。図４は、電子機器保護ケースのケース体が開かれた状態でケース体の内部を示す図である。図５は、図２のＶ−Ｖ線での断面図である。図６は、図２のＶＩ−ＶＩ線での断面図である。図７は、図２のＶＩＩ方向から見た図である。図８は、図２のＶＩＩＩ−ＶＩＩＩ線での断面図である。図９は、図２のＩＸ−ＩＸ線での断面図である。
【００１２】
この電子機器保護ケース１は、図１ないし図９に示されるように、内部に電子機器としての携帯電話機１１を収容する収容空間５を開閉可能に区画するケース体２を具備している。
【００１３】
本実施形態において、携帯電話機１１は、図４または図５に示されるように、扁平直方体の一面に表示部１３を有する表示部側要素１２と、扁平直方体の一面に入力操作用の操作部１５を有する操作部側要素１４とが回動自在に連結された構成である。表示部側要素１２と操作部側要素１４とは、表示部１３と操作部１５とを対向させて折りたたみでき、かつ、図５に示されるように、表示部１３と操作部１５とを略面一にして開くことができる。表示部１３と操作部１５とを面一に開いた状態で、表示部１３と操作部１５とを結ぶ方向に長手方向を有する。表示部１３と操作部１５とを略面一に開いた状態で、表示部１３を上側にし、操作部１５を下側にすると、表示部１３および操作部１５の文字情報を正位置で読むことができる。表示部側要素１２と反対方向の操作部側要素１４の側面には、信号を出入力する端子を取り付ける端子取付口１６が設けられている。
【００１４】
ケース体２は、図１のように載置面Ｓに載置された状態で載置面Ｓに垂直方向に長手方向を有する略直方体形状であって、図１ないし図４に示されるように、一面である背面側に開口部２４を有する略箱状のケース本体２１と、一面である表面側が開口する略箱状でケース本体２１の開口部２４を閉塞する蓋体３１と、ケース本体２１と蓋体３１とを開閉可能に連結する連結手段としてのヒンジ４１と、収納空間５を液密に封止する封止手段と、外部からケース体２内部を視認可能とする透明部としての窓部４３と、このケース体２を載置面Ｓに載置するための載置手段と、ケース体２を持ち上げるための取手手段とを備えて構成されている。
【００１５】
ケース本体２１は、図１、図２または図４に示されるように、四隅が曲線である略長方形の底面２２と、この底面２２の周縁から曲面を介して一体に連続して立設された側壁２３とを有する略箱状で、内側に携帯電話機１１を収容する収納空間５と、制御装置６１、電源部６５および出力手段（発音手段）としてのスピーカ６８を収納する制御空間６とを備えている。図４に示されるようにケース本体２１と蓋体３１とを開いた状態では、収納空間５は、開口部２４から外に向かって開口される。この開口部２４から携帯電話機１１をケース本体２１の収納空間５に出し入れできる。
【００１６】
蓋体３１は、図１、図３または図４に示されるように、ケース本体２１と略同形で、四隅が曲線である略長方形の天面３２と、この天面３２の周縁から曲面を介して一体的に連続して立設された側壁３３とを有する略箱状である。蓋体３１は、図５、図６、図８または図９に示されるように、側壁３３の端面をケース本体２１の開口部２４を囲む側壁２３の開口部側端面に当接させることによりケース本体２１の開口部２４を閉塞して、収容空間５を外部から区画する。
【００１７】
ケース本体２１および蓋体３１は、例えば、同材質の合成樹脂などで形成されている。なお、材質については、合成樹脂に限らず、木質、ガラス、金属などいずれのものを用いてもよい。特に、耐水性などの処理が施されていることが好ましい。さらには、ケース本体２１と蓋体３１とを同材質にて形成しなくてもよい。
【００１８】
ヒンジ４１は、ケース体２が載置される載置面Ｓ側に設けられケース本体２１と蓋体３１とを回動可能に連結する。ヒンジ４１は、図６または図７に示されるように、ケース本体２１と蓋体３１との回動方向に対して垂直方向に支持されたヒンジ軸４１１と、載置面Ｓ側のケース本体２１の側壁２３に設けられヒンジ軸４１１が軸装される貫通孔を有しヒンジ軸４１１を軸支する支持片４１２と、載置面Ｓ側の蓋体３１の側壁３３に設けられケース本体２１側に膨らんで蓋体３１側に開口した断面略Ｕ字型でヒンジ軸４１１に回転可能に支持されるフック部４１３とで構成されている。このヒンジ４１により、ケース本体２１と蓋体３１とが容易に開閉される。
【００１９】
なお、以後の説明では、このヒンジ４１が設けられた側面の方向を下方とし、ヒンジ４１が設けられた側面に対向する側面方向を上方とする。また、ヒンジ４１が設けられた側面に隣接された側面を左右の側面と称し、図４に図示された状態を基準に右と左を決定する。
【００２０】
封止手段は、図６に示されるように、ケース本体２１の側壁２３の開口部２４側端面に開口部２４を囲んで設けられた弾性部材としてのゴム４２１と、ケース本体２１に設けられた係合手段としてのロック板４２２と、蓋体３１に設けられロック板４２２を係脱可能に係止する係止手段としての係止爪４２４とを備えて構成されている。ゴム４２１は、図４に示されるように、開口部２４を囲むリング状であり、ケース本体２１の側壁２３の開口部２４側端面に形成された溝２３１に嵌められている。図５、６、８または９に示されるように、溝２３１を構成する斜面のうち、外側斜面の高さは、ゴム４２１の高さよりも低く、内側斜面の高さはゴム４２１の高さよりも高い。蓋体３１の側壁３３の端面は、蓋体３１がケース本体２１を閉塞したときに溝２３１との間でゴム４２１を押圧して弾性変形させる断面略Ｌ字状に形成されている。
【００２１】
ロック板４２２は、図４、図６、図７または８に示されるように、ケース本体２１から蓋体３１方向へ回動自在にケース本体２１に蝶着され中央に孔４２３が穿設され、ヒンジ４１が設けられた側面に隣接する左右の両側壁２３にそれぞれ１つと、ヒンジ４１が設けられた側面に対向する上辺の側壁２３に２つ設けられている。係止爪４２４は、ロック板４２２に対応する蓋体３１の位置に設けられ、図６、７または８に示されるように、ケース本体２１と反対方向へ突設された爪４２５を有する。ロック板４２２を回動させて係止爪４２４に係止すると、ロック板４２２がケース本体２１と蓋体３１とを跨ぎ、孔４２３が爪４２５に引っかかって係止されることにより固定される。このとき、開口部２４の周囲でゴム４２１がケース本体２１と蓋体３１との間に挟持されて弾性変形する。すると、収納空間５が外部から液密に封止される。
【００２２】
窓部４３は、ケース本体２１の底面２２に設けられケース体２の外部からケース体２の内部を視認可能にする。窓部４３は、図２に示されるように、ヒンジ４１が設けられた側面に隣接する左右の側面から略中央部分のケース本体２１の底面２２に高さ方向略中心を下辺としヒンジ４１とは反対側面付近に上辺を有する位置に穿設された窓用孔２２２に透明部材４３１が設けられた構成である。
【００２３】
透明部材４３１は、四隅が曲線の略矩形であり、少なくとも携帯電話機１１の表示部１３よりも高さ左右の長さが長く形成されている。具体的には、透明部材４３１の高さ方向は携帯電話機１１の表示部側要素１２の略１．５倍程度であり、左右方向は、携帯電話機１１の左右の幅よりも長い。ケース本体２１の底面２２には、図４、図５または８に示されるように、透明部材４３１を取り付ける位置に透明部材４３１と略相似形で透明部材４３１よりもわずかに小さい窓用孔２２２が穿設されているとともに、この窓用孔２２２の周縁にはケース本体２１の内側から透明部材４３１を嵌着させる段差２２３がケース本体２１の内側を肉薄に切欠いて設けられている。この段差２２３の切欠きの高さは、ケース本体２１の厚みの略半分である。透明部材４３１の周縁には、窓用孔２２２の段差２２３に嵌着される段差４３２が肉薄に切り欠いて形成されている。この段差４３２の高さは、ケース本体２１の厚みの略半分である。透明部材４３１をケース本体２１に嵌着した際には、ケース本体２１の底面２２の外表面面一に透明部材４３１の表面が位置する。
【００２４】
ケース本体２１の底面２２には、図４または図５に示されるように、窓部４３の上辺の左右略中央、下辺の左右略中央および左右辺の二箇所にてピン２２４が形成されている。さらに、このピン２２４に対応する透明部材４３１の位置には、切り欠いて形成された凹部４３３が設けられている。ケース本体２１の内側からケース本体２１の段差２２３に透明部材４３１の段差４３２を合わせて透明部材４３１がケース本体２１に嵌着されたのち、ピン２２４が押しつぶされて透明部材４３１が固定される。このとき、透明部材４３１とケース本体２１とは、隙間を排して液密に嵌着される。
【００２５】
載置手段としては、ヒンジ４１が設けられた面を載置面Ｓに対向させてケース体２を載置させる第１載置手段４４１と、蓋体３１の天面３２を載置面Ｓに対向させてケース体２を載置させる第２載置手段４４２とが設けられている。
【００２６】
第１載置手段４４１は、図６または図７に示されるように、ヒンジ４１が設けられたケース本体２１の側壁２３および蓋体３１の側壁３３に形成された４本の略円柱状の脚から構成されている。
【００２７】
脚は、図２、図３、図６に示されるように、ヒンジ４１が設けられた側面から載置面Ｓに向かう方向でヒンジ４１よりもわずかに長い。脚は、図７に示されるように、ヒンジ４１に平行に蓋体３１側に２本、ケース本体２１側に２本設けられている。蓋体３１側に設けられた脚とケース本体２１側に設けられた脚とは、蓋体３１とケース本体２１とを結ぶ方向では同一直線上からずれて配置されているとともに、また、ヒンジ４１とも重ならない位置にある。これにより、ケース本体２１と蓋体３１とを開いたときに、第１載置手段４４１の四本の脚およびヒンジ４１が重ならず、ケース本体２１と蓋体３１とが図４に示されるように略１８０度開かれる。
【００２８】
第２載置手段４４２は、図３、図６または図９に示されるように、蓋体３１の天面３２の四隅に設けられ蓋体３１の天面３２を載置面Ｓに向けて載置した状態で載置面Ｓに向かって膨出して形成された４つの膨出部で構成されている。
【００２９】
取手手段としては、ヒンジ４１とは反対側の側面に設けられた第１取手手段４６と、蓋体３１の天面３２に形成された第２取手手段４７とが設けられている。
【００３０】
第１取手手段４６は、図１、図２、図３または図５に示されるように、ヒンジ４１を載置面Ｓ側に向けてケース体２を載置した状態で上方に位置する蓋体３１の側壁３３の左右略中央でケース本体２１よりに回動自在に設けられたＵ字状の部材である。Ｕ字の両端面が蓋体３１の側壁３３に蝶着され、蓋体３１側とケース本体２１側とへ回動できる。この第１取手手段４６を手で持って、ケース体２を持ち上げてもよく、また、第１取手手段４６をどこかに引っ掛けておいてもよい。
【００３１】
第２取手手段４７は、図３または図５に示されるように、ヒンジ４１を載置面Ｓ側に向けてケース体２を載置した状態で蓋体３１の天面３２から側方に向けて開口する凹状に形成されている。第２取手手段４７は、ヒンジ４１を載置面Ｓ側に向けてケース体２を載置した状態で全体の重心よりも上側に設けられ、具体的には、ヒンジ４１とは反対側に設けられている。なお、第２取手手段４７は、図３に示されるように、左右方向に長手方向を有し、この長手方向の端面が面取りされた曲面で形成されている。この第２取手手段４７に指を引っ掛けてケース体２を持ち上げることができる。
【００３２】
ケース体２の内部は、図４に示されるように、ケース本体２１の内部で左右略中央部分および上辺部分で構成され携帯電話機１１を収容するＴ字状の収容空間５と、ケース本体２１の内部で下辺部分および左右両辺部分で構成され制御装置６１、スピーカ６８、マイク６２および電源部６５が配置されるＵ字状の制御空間６と、蓋体３１の内部で音響装置７１を収納する音響空間７との３つの空間に区画される。
【００３３】
収容空間５と制御空間６とは、区画部材（制御空間保護部材）８によって区画されている。
【００３４】
区画部材８は、図４、図６、図８または図９に示されるように、ケース本体２１の底面２２に立設された側板部８１と、側板部８１の端部から曲面を介して一体的に連続しケース本体２１の側壁２３へ繋がるケース本体２１の底面２２と平行な天井板部８３とを備えて構成されている。
【００３５】
側板部８１のケース本体２１の底面２２に平行な断面形状は、略Ｕ字型であって、このＵ字の両端とケース本体２１の左右の側壁２３とを結ぶ横梁部８２を有し、また、Ｕ字の両端からＵ字の谷部に向かう直線部分に対してＵ字の谷付近ではＵ字の内側に湾曲している。Ｕ字の谷の底には、収納空間５と制御空間６を連通する連通孔８５が形成されている。
【００３６】
収納空間５には、先述の窓部４３が位置している。また、収納空間５には、携帯電話機１１の表示部１３が窓部４３に対向する位置に携帯電話機１１を位置決めする位置決め手段５１と、携帯電話機１１の端子取付口１６に着脱され電気的に接続されるコネクタ端子５４とが配置されている。
【００３７】
位置決め手段５１は、図４または図８に示されるように、携帯電話機１１の操作部側要素１４を環装するベルト５２と、区画部材８のＵ字の対向する両側板部８１に設けられベルト５２が掛け渡される支持軸５３とを備えて構成されている。ベルト５２は、図４に示されるように、窓部４３の下辺よりも下方に位置し、ケース体２の外部から窓部４３を通しては見えない位置にある。ベルト５２は、携帯電話機１１の操作部側要素１４を環装して携帯電話機１１の背面でベルト５２の端部同士を重ね合わせて止める構成である。重ねて止める構造としては、例えば、マジックテープ（登録商標）のようなものでもよい。
【００３８】
コネクタ端子５４は、位置決め手段５１で位置決めされた携帯電話機１１の端子取付口１６に対向する位置に設けられている。コネクタ端子５４には、コネクタ端子５４の差込方向に対して直角方向の左右両側にボタン５４１が設けられている。このボタン５４１に予圧を掛けて押し込んだ場合には、コネクタ端子５４は端子取付口１６に対して抜き差しできる状態になる。コネクタ端子５４を端子取付口１６に指し込んでこのボタンから予圧を除くと、コネクタ端子５４が端子取付口１６に係止されて抜き出せない構成となる。
【００３９】
ここで、ケース体２は、ケース体２の長手方向の長さが携帯電話機１１の長さにコネクタ端子５４の長さを足したものよりも少なくとも長く形成されている。例えば、収納空間５に携帯電話機１１を収納する際の携帯電話機１１の適度な動きを許容する程度の長さなどが例示される。
【００４０】
制御空間６には、制御装置６１、スピーカ６８、マイク６２および電源部６５が配置される。
【００４１】
制御装置６１は、一方向が長い扁平直方体形状で、制御手段としての制御回路を備えている。制御装置６１は、制御空間６において図４中Ｕ字の左側空間であって天井板部８３のケース本体２１側面に長手方向をケース体２の長手方向に平行にして配置されている。
【００４２】
図２または図６に示されるように、制御空間６に配置された制御装置６１に対向するケース本体２１の底面２２に、外部の音声を集音する入力手段（集音手段）としてのマイク６２と、スピーカ６８の音量を調整する音量つまみ６３と、制御装置６１の作動中に点灯される発光ダイオード６４とが設けられている。
【００４３】
マイク６２、発光ダイオード６４は、ケース本体２１の底面２２に外表面に向けて開口された孔２２５Ａおよび孔２２５Ｂにそれぞれ配置されているとともに、この孔２２５Ａ、２２５Ｂは防水性のシートでシールされている。
【００４４】
音量つまみ６３は、ケース本体２１の底面２２を貫通して外部に向けて突設されている。
【００４５】
電源部６５は、図２、図４または図８に示されるように、制御空間６において図２中Ｕ字の右側空間に形成されている。電源部６５は、ケース体２の長手方向と平行に長手方向を有し、天井板部８３をケース本体２１の開口部２４と同方向へ開口する凹状に凹ませて形成されている。電源部６５は、円筒形状の電池６６（例えば単三、単四電池）を四本収納し、ケース体２の長手方向に直列に配列された２本が並列に配置される。電源部６５の凹状の開口付近で上下中央付近の左右の両側面に係止片６７１が設けられている。電源部６５に収納された電池６６は、電極であるコイルバネ６７２で付勢されるとともに、この係止片６７１によって２本の電池６６の当接部分を係止されることにより、安定に収納される。
【００４６】
なお、ここで、制御空間６とは、区画部材８とケース本体２１とで囲まれる空間のみならず、電源部６５である区画部材８の天井板部８３を凹ませて形成された空間をも含んで制御空間６と称する。
【００４７】
スピーカ６８は、図２または図６に示されるように、音を発射する発音部６８１をケース本体２１の底面に対向させ、ケース本体２１の制御空間６内にて下辺の左右両側に配置されている。スピーカ６８の発音部６８１に対向するケース本体２１の底面２２の位置には、全体として円形を形成する小孔２２６が多数穿設されているとともに、この小孔２２６は防水性のシートでシールされている。
【００４８】
電源部６５と制御装置６１とは、図４に示されるように、電源部６５の電力を制御装置６１に供給する電力ケーブル６９１で導通されている。制御装置６１と左右の両スピーカ６８とは、制御装置６１から両スピーカ６８に対して出力信号を伝送する出力伝送ケーブル６９２によって連結されている。
【００４９】
コネクタ端子５４と制御装置６１とは、コネクタ端子用ケーブル６９３で接続されている。コネクタ端子用ケーブル６９３は、制御空間６から収納空間５へ連通した連通孔８５付近でコネクタ端子５４と連結されている。
【００５０】
携帯電話機１１の出力は、コネクタ端子５４からコネクタ端子用ケーブル６９３を通って制御装置６１に伝送され、制御装置６１からスピーカに伝送されてスピーカから発音される。マイク６２で集音された音声は、制御装置６１からコネクタ端子用ケーブル６９３およびコネクタ端子５４を通って携帯電話機１１に入力される。この際、制御装置６１はアンプなどの増幅器を備え、携帯電話機１１およびマイク６２から入力された信号を音量つまみ６３で指定された所定量増幅して出力する。
【００５１】
また、電源部６５から制御装置６１に送られた電力により、制御装置６１が動作するとともに、制御装置６１から携帯電話機１１に電力が伝送されて、この電力により携帯電話機１１が動作を行う。
【００５２】
音響空間７には、図４に示されるように、音響装置７１が収納され、また、音響装置７１に着脱され電気的に接続されるコネクタピン７２が配置されている。コネクタピン７２は、制御装置６１から連通孔８５を通って引き出された音響用ケーブル７３の先端に設けられている。音響装置７１としては、コネクタピン７２が着脱可能で信号を出力するピンジャック７１１を有しているものが望ましい。例えば、この音響空間７内に収納される程度の大きさで携帯型のＣＤプレーヤやＭＤプレーヤでもよい。コネクタピン７２は、音響用ケーブル７３に対して直角にピンジャック７１１に指し込まれる形状であり、仮に、音響用ケーブル７３が連通孔８５に引っ掛かって引っ張られた場合でも、簡単には抜けない構成である。
【００５３】
次に、制御装置６１の動作について説明する。なお、携帯電話機１１の端子取付口１６にコネクタ端子５４を接続し、音響装置７１のピンジャック７１１にコネクタピン７２を接続した状態における制御装置６１の動作を例示して説明する。
【００５４】
制御装置６１は、携帯電話機１１が着信状態ではない場合、音響装置７１から出力される音情報をスピーカ６８に出力する。これにより、スピーカ６８から音響装置７１の音情報が外部に発音される。携帯電話機１１が着信した場合、携帯電話機１１から着信したことを知らせる信号が制御装置６１に出力される。すると、制御装置６１は、音響装置７１からの音情報をスピーカ６８に出力しないで遮断した後、携帯電話機１１に対して発呼した相手機器と携帯電話機１１とを通話状態にする。このとき、制御装置６１は、携帯電話機１１から出力される出力音声信号をスピーカ６８に送り、また、マイク６２によって集音した音声を入力音声信号として携帯電話機１１に送る。この状態において相手機器と通話を行うことができる。
【００５５】
次に、携帯電話機１１に発呼した相手機器が通話を終了した場合、携帯電話機１１からこの通話終了を知らせる信号が制御装置６１に出力される。すると、制御装置６１は、携帯電話機１１の通話状態を終了させるとともに、音響装置７１からの音情報をスピーカ６８に出力する。
【００５６】
次に、電子機器保護ケース１の使用について説明する。
まず、ロック板４２２を係止爪４２４から外し、ケース本体２１と蓋体３１とをヒンジ４１を中心にして図４に示されるように開く。電池６６が収納されていない場合には、電池６６を電源部６５に収納する。次に、携帯電話機１１を表示部１３と操作部１５とが略面一になるように開いて、携帯電話機１１をケース本体２１の収納空間５に配置する。この際、表示部側要素１２をヒンジ４１とは反対方向の上辺側へ向けて、操作部側要素１４を下辺側へ向ける。さらに、表示部１３を窓部４３に対向させた状態でベルト５２により操作部側要素１４を環装して携帯電話機１１を位置決め固定する。携帯電話機１１の端子取付口１６にコネクタ端子５４を接続し電気的に導通させる。音響装置７１を蓋体３１内の音響空間７に収納し、コネクタピン７２をピンジャック７１１に接続し電気的に導通させる。音響装置７１の音楽を聴く場合には、この段階で音響装置７１の電源をＯＮにして、音情報を出力させる。
【００５７】
次に、ヒンジ４１を中心にしてケース本体２１と蓋体３１とを回転させてケース本体２１と蓋体３１とを合わせる。ロック板４２２を係止爪４２４に係合して、収容空間５を封止する。すると、収納空間５が液密に封止された状態となる。よって、携帯電話機１１および音響装置７１を海や風呂など多量の水や塩分、油などが存在する過酷な環境においても利用することができる。
【００５８】
この状態で、スピーカ６８から音響装置７１の音情報が発音されているが、音量を調節する場合には、音量つまみ６３を適度に回す。
【００５９】
ケース体２を載置面Ｓに載置させる場合には、第１載置手段４４１によってヒンジ４１を載置面Ｓに向けて載置してもよい。すると、窓部４３を通して携帯電話機１１の表示部１３の表示を見やすく載置できる。第２載置手段４４２によって、ケース本体２１の底面２２を載置面Ｓとは反対方向に向けて載置してもよい。すると、スピーカ６８が上方を向くので、スピーカ６８からの音が聴きやすい。また、第１取手手段４６または第２取手手段４７によって持ち運びながら音楽を聴くのも良い。
【００６０】
携帯電話機１１に着信があった場合、制御装置６１によって携帯電話機１１が通話状態になるとともに、音響装置７１からの音が遮断される。この状態でマイク６２に向かって発話する。すると、携帯電話機１１に発呼してきた相手機器と通話できる。すなわち、相手の音声はスピーカ６８から発音されるとともに、マイク６２に発話した音声は、携帯電話機１１に出力されて、相手機器に送信される。
【００６１】
相手機器との通話が終了した場合には、制御装置６１によって、携帯電話機１１の通話状態が終了され、音響装置７１の音情報がスピーカから発音される。
【００６２】
このような電子機器保護ケース１によれば、次の効果を奏することができる。
【００６３】
内部に携帯電話機１１を収納する収納空間５を開閉可能に区画するケース体２と、このケース体２に設けられ携帯電話機１１の出力音声信号をケース体２の外部へ出力するスピーカ６８と、ケース体２にこのケース体２の外部に臨んで設けられ携帯電話機１１に入力信号を入力するマイク６２とを具備している。
【００６４】
このような構成において、携帯電話機１１を収納空間５に収納すると、携帯電話機１１はケース体２により外部から区画される。よって、携帯電話機１１を外部のゴミや水など携帯電話機１１の動作に影響を与える要因から区画することができる。その結果、例えば、収容空間５に収容された状態で携帯電話機１１を海や風呂などに持って行き、この携帯電話機１１に発呼してきた相手機器と通話することができる。すなわち、携帯電話機１１が受信した相手機器からの音声はスピーカ６８から外部に発音され、また、マイクに向かって発話した音声は、携帯電話機１１に入力されて相手機器に送信される。携帯電話機１１が収納され、かつ、ケース体２の開閉により取り出し可能である。例えば、防水されていない携帯電話機１１であっても、この収納空間５に収納することにより、海や風呂など使用環境に制限されることなく利用することができる。
【００６５】
ケース体２は、収納空間５に収納された携帯電話機１１の表示部１３をケース体２の外部から視認可能に形成されている。
【００６６】
このような構成によれば、収納空間５に収納された携帯電話機１１の表示部１３をケース体２の外部から見ることができる。例えば、携帯電話機１１の表示部１３に、着信したことを知らせる表示や、時刻などが表示される場合であっても、ケース体２の外部から表示部１３の表示を見ることができる。そして、ケース体２を、透明な部材にて一体形成すれば、生産性の向上、コストの低減も容易に図れる。
【００６７】
ケース体２は、収納空間５に収納された携帯電話機１１の表示部１３に対向する位置にケース体２の外部から表示部１３を視認可能とする窓部４３を備えている。
【００６８】
このような構成によれば、収納空間５に収納された携帯電話機１１の表示部１３をケース体２の外部から窓部４３を通して見ることができる。例えば、ケース体２自体が不透明な物質で形成されても、本実施形態の如く、ケース体２に窓用孔２２２を穿設して、この窓用孔２２２に透明部材４３１を嵌着すれば、ケース体２の外部から表示部１３を視認でき、他の内部構成は視認できず、美観を向上させることができる。
【００６９】
ケース体２は、携帯電話機１１を収納空間５に取り外し可能に位置決めする位置決め手段５１を備えている。
【００７０】
このような構成によれば、携帯電話機１１が位置決め手段５１によって位置決め固定されるので、収納空間５内で携帯電話機１１が動くことがない。その結果、携帯電話機１１がケース体２の内壁にぶつかったりしないので、携帯電話機１１や他の部位が損傷するなどの不都合を防止できる。
【００７１】
ケース体２は、収納空間５に収納された携帯電話機１１の情報を表示する表示部１３に対向する位置にケース体２の外部から表示部１３を視認可能とする窓部４３と、携帯電話機１１を収納空間５内に表示部１３が窓部４３に対向する位置に位置決め固定する位置決め手段５１とを備えている。
【００７２】
このような構成によれば、表示部１３が窓部４３に対向した状態で携帯電話機１１が位置決め固定されるので、窓部４３を通して表示部１３の表示を見ることができる。なお、本実施形態において、位置決め手段５１は、窓部４３よりも下辺に設けられ、外部から窓部４３を通して見えない。
【００７３】
ケース体２は、収容空間５に連通し携帯電話機１１を出入れ可能な開口部２４を有するケース本体２１と、開口部２４を開閉可能に閉塞し収納空間５をケース本体２１とにて区画する蓋体３１と、収容空間５を液密に封止する封止手段を備えている。
【００７４】
このような構成によれば、携帯電話機１１を開口部２４から収納空間５に出し入れできる。すなわち、ケース本体２１と蓋体３１とを開閉させて容易に収納空間５を開口させることができるとともに、ケース本体２１と蓋体３１とを合わせた際には、封止手段により収納空間５に収納された携帯電話機１１を簡便な構造で液密に収納することができる。
【００７５】
封止手段は、ケース本体２１に設けられ蓋体３１にて開口部２４が閉塞された際に開口部２４の周囲を囲む状態でケース本体２１および蓋体３１に挟持されて弾性変形する弾性部材としてのゴム４２１と、ケース本体に設けられた係合手段としてのロック板４２２と、蓋体３１に設けられロック板４２２を係脱可能に係止し蓋体３１にて開口部２４が閉塞された状態を維持する係止手段としての係止爪４２４とを備えている。
【００７６】
このような構成によれば、ロック板４２２と係止爪４２４によってケース本体２１と蓋体３１とが開口部２４を閉塞した状態で固定されるとともに、このとき、開口部２４の周囲に設けられたゴム４２１が、ケース本体２１と蓋体３１との間で挟まれて弾性変形する。すると、収納空間５が液密に封止されて、収納空間５内に収納された携帯電話機１１が液密に保護される。また、ゴム４２１の付勢力によって、ロック板４２２と係止爪４２５が強く係合され、ロック板４２２と係止爪４２４がはずれにくい。よって、ケース本体２１と蓋体３１とが簡単には開かないので、ケース本体２１と蓋体３１とが勝手に開いて収容空間５のなかに水等が浸入する危険性がない。
【００７７】
ケース体２は、このケース体２を載置する載置面Ｓに対向する面に設けられ蓋体３１がケース本体２１に対して回動にて開口部２４を開閉する状態にケース本体２１および蓋体３１を連結する連結手段としてのヒンジ４１と、このケース体２を載置する載置面Ｓに対向する面からヒンジ４１の載置面Ｓに近接する位置までの距離より長い長さで突設された第１載置手段４４１である脚を備えている。
【００７８】
このような構成によれば、ケース本体２１と蓋体３１とがヒンジ４１によって連結されているので、蓋体３１をヒンジ４１によって回動させることにより収納空間５が開口され、収納空間５に携帯電話機１１を容易に出し入れすることができる。また、載置面Ｓに対向する面からヒンジ４１の載置面Ｓに近接する位置までの距離より長い長さで突設された第１載置手段４４１が設けられている。よって、ヒンジ４１を載置面Ｓに向けてケース体２を載置することができる。その結果、ケース体２を載置したときに、ヒンジ４１が見えなくなるのでデザイン性に優れたものとできる。このとき、本実施形態においては、第１載置手段４４１である脚は、ヒンジ４１から載置面Ｓまでの距離よりも長いので、ケース体２を載置したときにヒンジ４１が損傷することを防ぐことができる。
【００７９】
携帯電話機１１の出力音声信号および入力音声信号を制御する制御装置６１と、携帯電話機１１と制御装置６１とに電力を供給する電源部６５を具備している。
【００８０】
このような構成によれば、、携帯電話機１１の出力音声信号は、制御装置６１によって制御されてスピーカ６８に送られスピーカ６８から発音される。また、マイク６２で集音された音声は制御装置で制御されて携帯電話機１１に入力される。その結果、携帯電話機１１が収納空間５に収納された状態で、携帯電話機１１に発呼してきた相手機器と通話することができる。また、電源部６５を備えているので、携帯電話機１１の消費電力を気にすることなく通話を長時間行うことができる。
【００８１】
制御装置６１および電源部６５を収容する制御空間６を携帯電話機１１から隔離して区画する区画部材８を備えている。この区画部材８によって、収納空間５に収納された携帯電話機１１に対して制御装置６１および電源部６５が隔離されている。
【００８２】
このような構成によれば、携帯電話機１１を収納空間５に収納して位置決め手段５１で位置決めする際でも、携帯電話機１１を誤って制御装置６１にぶつけたりすることがない。
【００８３】
携帯電話機１１の出力音声信号および入力音声信号を制御する制御装置６１と、携帯電話機１１および制御装置６１に電力を供給し、かつ、電池６６を出し入れ可能に収容する電源部６５と、電池６６を電源部６５に出し入れ可能に制御装置６１および電源部６５を収容する制御空間６を収容空間５から隔離して区画する制御空間保護部材としての区画部材８を具備している。
【００８４】
このような構成によれば、収納空間５に携帯電話機１１を収納する際に、収納空間５に手を差し入れても、手が制御装置６１や電源部６５に誤って触れることがなく安全である。また、電源部６５には、電池６６が出し入れできるので、商用電力を引き込むケーブルなどを備える必要がない。よって、この電子機器保護ケース１を自由に持ち運びすることができ、海や風呂など商用電源を利用できない環境でも利用することができる。
【００８５】
ケース体２は、ケース体２が載置面Ｓに載置された状態で重心よりも上方に位置し側方に向けて開口された凹状の取手手段として第２取手手段４７を備えている。
【００８６】
このような構成によれば、第１載置手段４４１によってケース体２を載置した状態から、この第２取手手段４７に指を掛けてケース体２を持ち上げることができる。蓋体３１には、携帯電話機１１や制御装置６１が配置されていないので、蓋体３１の天面３２の一部を凹状に凹ませるスペースがある。よって、天面３２の一部を凹状に成形する簡便な加工により取手を設けることができる。さらに、本実施形態では、スピーカ６８を下辺に配置しているので、全体の重心は下辺側、すなわち、第２取手手段４７よりも下辺側に位置することになる。よって、第２取手手段でケース体２を保持したときに安定する。
【００８７】
蓋体３１は、音響装置７１を収納する音響空間７を備えている。
【００８８】
このような構成によれば、この音響空間７に音響装置７１を収納することができる。すると、このケース体２の内部でこの音響装置７１も液密に保護されるので、海や風呂などに音響装置７１を持ち込むことができる。
【００８９】
携帯電話機１１が動作している場合、例えば通話状態にある場合には音響装置７１の音情報を携帯電話機の出力音声信号に影響しないように制御する制御装置６１を具備している。そして、携帯電話機１１が通話状態で、携帯電話機１１から出力音声信号が出力されている場合には、音響装置７１からの音情報はスピーカ６８に出力されず、携帯電話機１１からの出力音声信号のみがスピーカ６８から発音される。
【００９０】
このような構成によれば、携帯電話機１１に発呼してきた相手機器からの音声をスピーカ６８を通して良好に聴くことができ、相手機器と何らの支障なく通話できる。
【００９１】
出力手段としてのスピーカ６８は、携帯電話機１１の出力音声信号と音響装置７１の音情報とを外部に出力する。
【００９２】
このような構成によれば、スピーカ６８から音響装置７１の音情報を聞くことができる。この際、携帯電話機１１と音響装置７１は主として音を出力するものであるので、携帯電話機１１の出力音声信号を出力するスピーカと音響装置７１の音情報を出力するスピーカ６８とを共用することができる。その結果、電子機器保護ケース１を小型化することができる。
【００９３】
音響装置７１に着脱可能に電気的に接続されるコネクタピン７２を先端部に有した音響用ケーブル７３を備え出力信号および入力信号を制御する制御装置６１と、携帯電話機１１および制御装置６１に電力を供給する電池６６を出し入れ可能に収容する電源部６５と、を具備し、ケース体２は、電池６６を電源部６５に出し入れ可能に制御装置６１および電源部６５を収容する制御空間６を収容空間５から隔離して区画する制御空間保護部材としての区画部材８と、ケース本体２１と蓋体３１とを連結する連結手段としてのヒンジ４１を備え、区画部材８は、音響用ケーブル７３を制御空間６から引き出すケーブル引出口としての連通孔８５がヒンジ４１付近に設けられている。
【００９４】
このような構成によれば、ケース本体２１と蓋体３１とをヒンジ４１によって開いたとき、音響用ケーブル７３はヒンジ４１付近に設けられた連通孔８５から音響装置７１が収納されている蓋体３１へ引き出される。このとき、連通孔８５がヒンジ４１付近に設けられていることから、連通孔８５はケース本体２１中にあって蓋体３１に近い位置にある。よって、ケース本体２１と蓋体３１を開いた状態で音響用ケーブル７３は、ケース本体２１から最短距離で音響装置７１に引き出される構成となり、音響用ケーブル７３を短くできる。その結果、音響用ケーブル７３が邪魔になることがなく、特に、音響用ケーブル７３が収納空間５を横切らないので、携帯電話機１１を収納空間５に収納する際に邪魔になることがない。
【００９５】
出力手段としてのスピーカ６８は、ケース体２を第１載置手段４４１によって載置する載置面Ｓの側に配置され、全体の重心が載置面Ｓ側に位置している。
【００９６】
このような構成によれば、第１載置手段４４１によって載置面Ｓに載置されたとき、重心が低いので安定して載置することができる。安定して載置されて簡単には倒れないので、ケース体２の内部の携帯電話機１１、制御装置６１および音響装置７１に転倒による衝撃を与えることがない。
【００９７】
携帯電話機１１は、出力音声信号および入力音声信号を出入力する端子取付口１６を有し、ケース体２は、収納空間５に収納された携帯電話機１１の端子取付口１６に対向する位置に端子取付口１６に着脱可能に接続されるコネクタ端子５４が配置されている。
【００９８】
このような構成によれば、収納空間５に携帯電話機１１を収納した際、簡便に端子取付口１６にコネクタ端子５４を接続することができる。さらに、本実施形態においては、連通孔８５から収納空間５を臨む位置にコネクタ端子５４が配置されているので、コネクタ端子用ケーブル６９３が収納空間５に引き出されることがなく、邪魔にならない。
【００９９】
携帯電話機１１は長細形状であり、携帯電話機１１の出力音声信号および入力音声信号を制御する細長形状の制御装置６１を具備し、ケース体２は、携帯電話機１１および制御装置６１を、長手方向が互いに略平行となるように配置する。
【０１００】
一般に携帯電話機１１の形状は、耳から口付近までの長さを有する細長形状である。よって、この携帯電話機１１の形状を考慮して、制御装置６１も細長形状にして、携帯電話機１１および制御装置６１の長手方向を互いに略平行にして配置すれば、ケース体２の内部で携帯電話機１１と制御装置６１とをデッドスペースをできる限り廃して配置することができる。その結果、ケース体２自体の体積を最も小さくできるので、全体として小型化された良好なデザインとすることができる。
【０１０１】
携帯電話機１１および制御装置６１に電力を供給する細長形状の電源部６５を具備し、ケース体２は、電源部６５、制御装置６１および携帯電話機１１を長手方向が互いに略平行で、かつ、電源部６５および制御装置６１間に携帯電話機１１が位置する状態で配置する。
【０１０２】
電源部６５、制御装置６１および携帯電話機１１の長手方向を互いに略平行に配置することにより、ケース体２の内部で電源部６５、制御装置６１および携帯電話機１１をデッドスペースをできる限り廃して配置することができる。また、一般に電源部６５と制御装置６１は、携帯電話機１１よりも重いので、携帯電話機１１の両側に電源部６５と制御装置６１を配置することにより、重量のバランスをとることができる。本実施形態においては、携帯電話機１１を中心にして、電源部６５と制御装置６１はケース体２の左右に配置されているので、この電子機器保護ケース１全体の重量バランスがよい。よって、電子機器保護ケース１を載置面Ｓに載置したときでも安定である。
【０１０３】
なお、本実施形態において、携帯電話機１１がケース体２の左右略中央に配置されるので、携帯電話機１１の表示部１３をケース体２の左右略中央に位置させることができる。すると、左右略中央に携帯電話機１１の表示部１３が見えるので、デザイン的にもバランスがよい。
【０１０４】
電源部６５は、長手方向を有する電池６６の長手方向をケース体２の長手方向に略平行に収納する。
【０１０５】
このような構成によれば、電源部６５自体を長手形状に形成することができるとともに、携帯電話機１１、制御装置６１およびケース体２の長手方向と電源部６５の長手方向を平行にして配置することができる。すると、全体として小型でデザイン性の良いものとできる。
【０１０６】
携帯電話機１１の表示部側要素１２を上方にして、操作部側要素１４を下方にして収納空間５内に位置決めされる。
【０１０７】
一般に、携帯電話機１１は、表示部側要素１２を上方にして、操作部側要素１４を下方にした状態で文字情報を正位置に読むように構成されている。よって、収納空間５に収納された携帯電話機１１の表示部１３の文字情報を窓部４３を通して正位置に読むことができる。
【０１０８】
蓋体３１の天面３２から膨出した膨出部で構成される第２載置手段４４２が設けられている。
【０１０９】
このような構成によれば、ケース本体２１の底面２２を載置面Ｓと反対に向けてこの電子機器保護ケース１を載置することができる。このとき、スピーカ６８の発音部６８１が上方を向くので、スピーカ６８からの音を良好に聴くことができる。
【０１１０】
スピーカ６８は２つ設けられているので、ステレオ音響効果が得られるように、音を発音することができる。
【０１１１】
透明部材４３１には段差４３２が形成され、ケース本体２１の底面２２には段差２２３が形成されているので、透明部材４３１を窓用孔２２２に取り付けたとき、ケース本体２１の底面２２の外表面に面一に透明部材４３１の表面を位置させることができる。よって、ケース本体２１の底面２２の外表面が平坦になるので、デザイン的に良好なものとできる。
【０１１２】
（第２実施形態）
図１０および図１１に本発明の電子機器保護ケースの第２実施形態を示す。
第２実施形態の基本的構成は、第１実施形態と同様であるが、第２実施形態が特徴とするところは、収納空間５に収納された携帯電話機１１をケース体２の外部から操作可能に構成されている点にある。
【０１１３】
図１０または図１１に示されるように、ケース体２は、外部へ臨んで操作可能に設けられた外部操作手段９と、外部操作手段９の操作を収納空間５に収納された携帯電話機１１に入力操作として伝達する操作伝達手段とを具備して構成されている。
【０１１４】
外部操作手段９は、ケース本体２１の底面２２の外表面で窓部４３の下方に設けられた外部操作ボード９１と、この外部操作ボード９１に配列され手指操作によって入力操作するキー９４とを備えて構成されている。
外部操作ボード９１は、図１０に示されるように、ケース本体２１の底面２２の外表面に、窓部４３の下方から左右の小孔２２６の間に位置して設けられている。外部操作ボード９は、窓部４３の下辺から小孔２２６の上部に至る領域に位置し左右に幅広な第１領域９２と、左右の小孔２２６の間に位置し、スピーカ６８の発音部６８１に重ならないように幅狭に形成された第２領域９３とを有している。外部操作ボード９は、図１１に示されるように、上辺から下辺に向かうに従って外部操作ボード９の表面が底面２２から離れる形状で、断面がくさび型に形成されている。
【０１１５】
キー９４は、外部操作ボード９１の第１領域９２に配列された機能キー９５と、第２領域９３に配列されたメインキー９６とを備えて構成されている。
機能キー９５は、第１領域９２に左右方向へ一列に５つ配置されている。それぞれの機能キー９５の表面には、機能キー９５を打鍵した場合に携帯電話機１１に予め設定された機能から選択される機能が表記されている。この表記は、ケース体２を載置面Ｓに第１載置手段４４１に載置したときに正位置で読めるように表記されている。機能キー９５の打鍵によって選択される機能としては、例えば、携帯電話機１１に記憶された電話番号等のメモリを呼び出して表示部１３に表示させる機能や、携帯電話機１１に入力する文字として数字、ひらがな、カタカナ、漢字、アルファベット等の文字種を選択したり、または、この文字の全角半角などの大きさ等を選択する機能などが例示される。
【０１１６】
メインキー９６は、第２領域９３に上下方向に４段、左右方向に３列の計１２個が配列されている。メインキー９６の表面には、打鍵した場合に携帯電話機１１に入力される文字が表記されている。メインキー９６は、一回の打鍵、二回の打鍵など打鍵の回数によって携帯電話機１１に入力できる文字を選択できる構成であり、メインキー９６の表面には、例えば、あ行、ＡＢＣ、数字などが単独で、または、併記して表記されており、機能キー９５の打鍵とメインキー９６の打鍵を合わせて使用することにより、携帯電話機１１に入力する文字を選択することができる。メインキー９６の表面の表記は、ケース体２を載置面Ｓに第１載置手段４４１に載置したときに正位置で読めるように表記されている。なお、図１０中においては、メインキー９６の表面には数字を表記したものが例示されている。
【０１１７】
操作伝達手段は、キー９４の入力操作が入力されるとともにこの入力操作の操作内容を制御して出力する制御装置６１と、制御装置６１から出力された出力信号を携帯電話機１１に伝達するコネクタ端子用ケーブル６９３およびコネクタ端子５４とを備えて構成されている。
【０１１８】
制御装置６１は、予め複数種の携帯電話機１１の型番（例えば、シリアルナンバー）とこの型番に応じた機能キー９５およびメインキー９６による入力操作機能の形式とを関連づけたデータベースを備えている。
制御装置６１は、コネクタ端子５４が携帯電話機１１の端子取付口１６に接続された際に携帯電話機１１の型番を読み取り、携帯電話機１１の型番に対応した機能キー９５およびメインキー９６の入力操作機能の形式を判別する。機能キー９５およびメインキー９６の入力操作は、制御装置６１に入力され、携帯電話機１１の型番に対応した入力操作機能の形式に変換処理されたのち、コネクタ端子用ケーブル６９３およびコネクタ端子５４を介して携帯電話機１１に入力される。
【０１１９】
このような第２実施形態の使用および動作について説明する。
まず、第１実施形態と同様に携帯電話機１１を収納空間５に収納する。すなわち、表示部１３を窓部４３に対向させて位置決め手段５１で位置決めし、コネクタ端子５４を端子取付口に接続する。さらに、封止手段で収納空間５を液密に封止する。
【０１２０】
コネクタ端子５４が端子取付口１６に接続された際、制御装置６１は、携帯電話機１１の型番を読み取り、この型番に対応した入力操作の形式を判別する。
次に、機能キー９５およびメインキー９６を操作して所望の入力操作を行う。このときの操作は、携帯電話機１１自体の操作形式に従って行えばよい。つまり、携帯電話機１１の操作部１５を操作するのと略同様の操作を行えばよい。機能キー９５およびメインキー９６の入力操作は、制御装置６１に入力される。すると、制御装置６１によってキー９１による入力操作は携帯電話機１１の型番に応じた入力操作機能の形式に変換処理され、携帯電話機１１に入力される。携帯電話機１１は、入力された操作内容に従って動作を行う。例えば、入力された文字を表示部１５に表示したり、入力された電話番号に従って呼出発信するなどの動作を行う。
【０１２１】
このような第２実施形態によれば、次の効果を奏することができる。
【０１２２】
外部へ臨んで操作可能に設けられた外部操作手段９と、外部操作手段９の操作を収納空間５に収納された携帯電話機１１に入力操作として伝達する操作伝達手段とを具備して構成されている。
【０１２３】
このような構成によれば、収納空間５に収納された携帯電話機１１に対してキー９４の入力操作により動作内容を設定入力することができる。すると、携帯電話機１１に文字情報を入力したり、携帯電話機１１に記憶された電話番号などのメモリを呼び出したり、携帯電話機１１に電話番号を入力して通話したい相手機器に呼出発信するなど携帯電話機１１の機能を十分に利用することができる。すなわち、携帯電話機１１がケース体２に収納されない状態で利用できる機能の略すべてを収納空間５に収納された携帯電話機１１についても利用することができる。その結果、多量の水、油、砂などが存在するような海や風呂などの携帯電話機１１の動作に過酷な環境であっても、携帯電話機１１の機能を十分に利用することができる。
【０１２４】
外部操作ボード９１は、上辺から下辺に向かうに従って外部操作ボードの表面が底面２２から離れる断面くさび型に形成されている。
このような構成によれば、載置面Ｓに第１載置手段４４１により載置させた状態でキー９４が見やすく、また、キー９４を操作しやすい。
【０１２５】
外部操作手段９は、ケース本体２１の底面２２の外表面に、窓部４３の下方から左右の小孔２２６の間に位置して設けられている。
このような構成によれば、外部操作ボード９１は、収納空間５に収納された携帯電話機１１の操作部１５に対して底面２２を挟んで略対応した位置に配置される。すると、キー９４を操作するときに、携帯電話機１１の操作部１５を操作しているのと近い感じを得ることができるので、違和感なくキー９４を操作することができる。
【０１２６】
メインキー９６が、第２領域９３に上下方向に４段、左右方向に３列の計１２個が配列されている。一般的な携帯電話機１１の操作部１５も上下方向に４段、左右方向に３列のキーを有している。よって、一般的に汎用されている携帯電話機１１であれば、略同じキー配置となるので、携帯電話機１１の操作部１５を操作しているのと変わらぬ感覚でキー操作を行うことができる。
【０１２７】
制御装置６１は、予め複数種の携帯電話機１１の型番（例えば、シリアルナンバー）とこの型番に応じた機能キー９５およびメインキー９６による入力操作機能の形式とを関連づけたデータベースを備えている。
このような構成によれば、制御装置６１が、携帯電話機１１の型番に応じてキー９４の操作で入力された動作内容を携帯電話機１１の型番に応じた入力操作機能の形式に変換処理するので、携帯電話機１１の操作部１５を操作するのと略同様の操作をキー９４に行えばよい。よって、キー９４を操作する感覚が携帯電話機１１の操作部１５を操作する感覚に近く、操作しやすい。
【０１２８】
窓部４３が設けられている底面２２に外部操作手段９が設けられている。また、機能キー９５およびメインキー９６の表面の表記は、ケース体２を載置面Ｓに第１載置手段４４１に載置したときに正位置で読めるように表記されている。よって、窓部４３を通して表示部１３の表示を見ながらキー９４を操作することができる。このとき、窓部４３を通して視認される表示部１３の表示と機能キー９５およびメインキー９６の表記とは共に正位置となり、表示部１３を見ながらキー９４の操作を行いやすい。
【０１２９】
尚、本発明の電子機器保護ケースは、上記実施形態にのみ限定されるものではなく、本発明の要旨を逸脱しない範囲内において種々変更を加え得ることは勿論である。
【０１３０】
上記実施形態において、窓部４３は、ケース本体２１の底面２２に形成された窓用孔２２２に透明部材４３１が設けられた構成で説明したが、ケース体２の外部から携帯電話機１１の表示部１３が視認できればよく、例えば、ケース体２自体が透明な部材で形成されていてもよい。このような構成によれば、窓部４３を設ける必要がないので製造工程を簡略化することができる。また、窓部４３の大きさは、少なくとも携帯電話機１１の表示部１３がケース体２の外部から視認できればよいので、携帯電話機１１の表示部１３の大きさと同一であってもよい。
【０１３１】
封止手段の構成としては、弾性部材としてのゴム４２１と、ケース本体２１と蓋体３１とを合わせた状態で固定するロック板４２２と係止爪４２４で構成されているが、これに限らずその他の構成でもよい。例えば、ケース本体２１と蓋体３１とを合わせた状態で開口部２４を取り囲むようにビニールテープで封止するようにしてもよい。
【０１３２】
ケース本体２１と蓋体３１とは、ヒンジ４１によって連結されているが、ケース本体２１と蓋体３１とを連結する連結手段としてはヒンジ４１に限られず種々の連結機構を用いることができる。また、ケース本体２１と蓋体３１とが連結されず、蓋体３１がケース本体２１から分離される構成でもよい。
【０１３３】
本実施形態では、第１載置手段４４１としての脚は、ヒンジ４１から載置面Ｓまでの距離より長く形成されているが、ヒンジ４１から載置面Ｓまでの距離と同じであってもよい。この場合、ヒンジ４１自体も脚としての機能を発揮することができる。したがって、脚の構成を簡略化できる。また、第１載置手段４４１としての脚は、４本に限られず、また、形状も円柱形状ではなく、直方体形状などであってもよい。
【０１３４】
本実施形態において、電源部６５は、携帯電話機１１および制御装置６１に電力を供給するが、電源部６５の電力をさらに音響装置７１に供給する構成としてもよい。あるいは、電源部６５の電力は、制御装置６１に供給されるものであってもよい。そして、電源部６５に収納される電池６６は、一次電池でもよく、また二次電池でもよい。二次電池である場合には、二次電池を交換してもよく、また、ケース体２に二次電池を充電するための機能を設けてもよい。電池６６の形状も、円柱状の形状に限られるものではなく、長方形でもボタン型などでもよい。
【０１３５】
本実施形態においては、制御装置６１および電源部６５は、収納空間５が外部に連通された際に液密に保護されていないが、制御装置６１および電源部６５を液密に保護する構成としてもよい。例えば、区画部材８とケース本体２１との接合部を液密に封止するとともに連通孔８５にコネクタ端子用ケーブル６９３を引き出し可能かつ液密に封止するパッキンを設けて、さらに、電源部６５の開口を開閉可能でかつ液密に封止する蓋などを設けてもよい。このような構成によれば、仮に水などが収納空間５内に浸入した場合であっても、制御装置６１や電源部６５に損傷が生じるなどの不都合を防止することができる。
【０１３６】
本実施形態において、制御装置６１は、長手方向を有する直方体形状であるが、これに限らず、例えば、長細形状であれば平面視した際に楕円形に見えるようなものであってもよい。ここで、長細形状とは、少なくとも一方向に長手方向を有し、この長手方向に直交する方向の最大幅が長手方向より短い形状を意味する。さらには、球状、星状、星形、ハート形、各種キャラクタを表現した形状などどとすることもできる。
【０１３７】
収納空間５に収納された携帯電話機１１をケース体２の外部から操作する構成として、例えば、ケース体２全体を軟質部材で形成してもよく、また、収納空間５に収納された携帯電話機１１の操作部１５に対向する位置を軟質部材で形成してもよい。または、収納空間５に収納された携帯電話機１１の操作部１５に対向する位置に外部に突出して操作部１５の操作ボタンに対応した外部操作手段としての外部操作ボタンを設けてもよい。このとき、外部操作ボタンと携帯電話機１１の操作部１５のボタンを当接させて、外部操作ボタンを押したときに携帯電話機１１の操作部１５のボタンを押せる構成としてもよい。
【０１３８】
第２実施形態において、外部操作手段９が設けられる位置は上記実施形態に限られない。例えば、ケース本体２１の底面２２で窓部４３の右側、あるいは左側であってもよい。さらに、キー９４の個数や配列は、上記実施形態に限定されず、１列や２列、３列に配置されてもよい。
また、外部操作手段９は、ケース体２から取り外し可能であってもよい。
キー９４表面の表記は、予め刻印されていてもよく、また、ユーザーが携帯電話機１１の型に応じて変更できるものであってもよく、例えば、キー９４を取り替えられるものや、キー９４の表面に所定の表記が標されたシールを貼るなどでもよい。
【０１３９】
ケース体２は、収納空間５に収納された携帯電話機１１の表示部１３の背面を付勢して、表示部１３を透明部材４３１に当接させる付勢手段を備えていてもよい。このような構成によれば、携帯電話機１１の表示部１３が透明部材４３１に当接されるので、外部から窓部４３を通して表示部１３が見えやすい。この付勢手段としては、例えば、蓋体３１の天面３２に設けられ、携帯電話機１１の表示部１３の背面を付勢するゴムやばねなどであってもよい。さらに、この付勢手段を、第２取手手段４７の凹状の背面、すなわち、第２取手手段４７を形成したことによって蓋体３１の天面３２に膨出する凸状の先端に設けてもよい。このような構成によれば、簡便に付勢手段を設けることができる。
【０１４０】
制御装置６１は、携帯電話機１１からの出力音声信号または音響装置７１の音情報をスピーカ６８に出力するとしたが、例えば、携帯電話機１１が着信した際には、スピーカ６８に対して着信を知らせる呼び出し音を発音させてもよい。
【０１４１】
ケース体２は、音響装置７１を収納できるものではなく、携帯電話機１１のみを収納できるものであってもよい。
【０１４２】
さらに、電子機器保護ケース１としては、スピーカ６８やマイク６２を備えていなくてもよい。例えば、出力信号および入力信号を出入力する端子取付口１６を有する携帯電話機１１を液密に収納する収納空間５を開閉可能に区画し、収容空間５内の長手方向一端に端子取付口１６に着脱可能に接続するコネクタ端子５４が配置されたケース体２でもよい。この場合、ケース体２の外部に別個にスピーカ６８およびマイク６２を用意して、携帯電話機１１からの出力信号がコネクタ端子５４を介してスピーカ６８に出力され、また、マイク６２からの入力信号をコネクタ端子５４を介して携帯電話機１１に入力する構成とすればよい。さらに、ケース体２は、コネクタ端子５４を備えず、コネクタ端子５４の取付手段としてコネクタ端子５４を収納空間５内に引き込む引込口と、コネクタ端子５４を係止する係止手段とを備えた構成であってもよい。この際、前記引込口はコネクタ端子５４を引き込み可能かつ液密に封止できることが好ましい。
【０１４３】
携帯電話機１１は、表示部側要素１２と操作部側要素１３とが回動自在に連結された構成に限られず、表示部側要素１２と操作部側要素１３とが一体的に構成された携帯電話機１１でもよいことはもちろんである。
【０１４４】
収納空間５に収納される電子機器としては携帯電話機１１として説明したが、携帯電話機１１に限られず、種々の電子機器を収納空間５に収納して、電子機器保護ケースとしてもよいことはもちろんである。たとえば、パソコンなど情報を入出力できる電子機器などが例示できる。この際、電子機器の機能に応じて出力手段、入力手段および制御装置の機能を適宜変更することはもちろんである。
【図面の簡単な説明】
【図１】本発明に係る電子機器保護ケースの第１実施形態として、この電子機器保護ケースのケース体を閉じた状態で載置面に載置した状態の外観図である。
【図２】前記第１実施形態の正面図である。
【図３】前記第１実施形態の背面図である。
【図４】前記第１実施形態のケース体が開かれた状態でケース体の内部を示す図である。
【図５】前記第１実施形態において、図２のＶ−Ｖ線での断面図である。
【図６】前記第１実施形態において、図２のＶＩ−ＶＩ線での断面図である。
【図７】前記第１実施形態において、図２のＶＩＩ方向から見た図である。
【図８】前記第１実施形態において、図２のＶＩＩＩ−ＶＩＩＩ線での断面図である。
【図９】前記第１実施形態において、図２のＩＸ−ＩＸ線での断面図である。
【図１０】本発明の電子機器保護ケースの第２実施形態の外観図である。
【図１１】前記第２実施形態の断面図である。
【符号の説明】
１　　電子機器保護ケース
２　　ケース体
５　　収容空間
６　　制御空間
７　　音響空間
８　　制御空間保護部材としての区画部材
９　　外部操作手段
１１　　電子機器としての携帯電話機
１３　　表示部
１５　　操作部
１６　　端子取付口
２１　　ケース本体
２４　　開口部
３１　　蓋体
４１　　連結手段としてのヒンジ
４３　　透明部としての窓部
４７　　取手手段を構成する第２取手手段
５１　　位置決め手段
５４　　端子としてのコネクタ端子
６１　　制御装置
６２　　入力手段としてのマイク
６５　　電源部
６６　　電池
６８　　出力手段としてのスピーカ
７１　　音響装置
７２　　端子としてのコネクタピン
７３　　音ケーブルとしての音響用ケーブル
８５　　ケーブル引出口としての連通孔
４２１　　弾性部材としてのゴム
４２２　　係合手段としてのロック板
４２４　　係止手段としての係止爪
４４１　　脚としての第１載置手段
Ｓ　　　載置面
【図１】
2004072601.tif 000003
【図２】
2004072601.tif 000004
【図３】
2004072601.tif 000005
【図４】
2004072601.tif 000006
【図５】
2004072601.tif 000007
【図６】
2004072601.tif 000008
【図７】
2004072601.tif 000009
【図８】
2004072601.tif 000010
【図９】
2004072601.tif 000011
【図１０】
2004072601.tif 000012
【図１１】
2004072601.tif 000013